(57)【要約】【課題】特性の変更の前後で実質的にトルクを維持しつつ、音響純音を減少させる。【解決手段】装置は、磁石と磁化器とを含む。磁化器は、磁石に対して回転するよう動作可能である。回転は、特定の周波数で音響純音を生成する。磁石と磁化器との組合せは磁気プロファイルを有する。この組合せは、特定の周波数での音響純音を減少させるために、特定の高調波形状を磁気プロファイルに重畳するよう変更される。【選択図】図５
2014107005.tif 000002
【特許請求の範囲】
【請求項１】
モータ磁石と磁化器コアとを含む機器であって、
前記モータ磁石と前記磁化器コアとの組合せは磁気プロファイルを含み、
前記組合せは、特定の高調波形状を前記磁気プロファイルに重畳するよう構成されており、
前記高調波形状の前記重畳は、特定の周波数での音響純音を減少させるよう動作可能である、機器。
【請求項２】
前記構成は、前記モータ磁石の材料の変更を含む、請求項１に記載の機器。
【請求項３】
前記構成は、前記モータ磁石の厚さの変更を含む、請求項１に記載の機器。
【請求項４】
前記構成は、前記組合せの形状の変更を含む、請求項１に記載の機器。
【請求項５】
前記構成は、前記磁化器コアの近傍に位置付けられ、前記磁化器コアの電磁特性を変更するよう構成された導電用ワイヤを含む、請求項１に記載の機器。
【請求項６】
前記構成は、前記ワイヤの直径の変更を含む、請求項５に記載の機器。
【請求項７】
前記ワイヤは、前記磁化器コアの周りの巻線である、請求項５に記載の機器。
【請求項８】
前記組合せのトルクは実質的に一定のままである、請求項１に記載の機器。
【請求項９】
モータ磁石と磁化器コアとの組合せの音響純音に関連する周波数を識別するステップと、
前記組合せの特性を変更するステップとを含み、
前記変更するステップは、特定の高調波を前記組合せの初期磁気プロファイルに重畳し、
前記変更するステップは、前記周波数での前記音響純音を減少させる、方法。
【請求項１０】
前記特性は、前記モータ磁石の材料を含む、請求項９に記載の方法。
【請求項１１】
前記特性は、前記モータ磁石の厚さを含む、請求項９に記載の方法。
【請求項１２】
前記特性は、前記組合せの形状を含む、請求項９に記載の方法。
【請求項１３】
前記変更するステップは、前記磁化器コアの電磁特性を変更するために、前記磁化器コアの近傍に導電用ワイヤを位置付けるステップを含む、請求項９に記載の方法。
【請求項１４】
前記変更するステップの前後で、前記組合せのトルクは実質的に変更されないままである、請求項９に記載の方法。
【請求項１５】
装置であって、
磁石と、
前記磁石に対して回転するよう動作可能な磁化器とを含み、前記回転は、特定の周波数で音響純音を生成し、前記磁石と前記磁化器との組合せは磁気プロファイルを含み、前記装置はさらに、
前記特定の周波数での前記音響純音を減少させるために、特定の高調波形状を前記磁気プロファイルに重畳するよう、前記組合せを変更するための手段を含む、装置。
【請求項１６】
前記手段は、前記磁石または前記磁化器の材料を変更することを含む、請求項１５に記載の装置。
【請求項１７】
前記手段は、前記磁石または前記磁化器のサイズを変更することを含む、請求項１５に記載の装置。
【請求項１８】
前記手段は、前記組合せの形状を変更することを含む、請求項１５に記載の装置。
【請求項１９】
前記手段は、前記組合せの電磁特性を変更するために、前記磁石または前記磁化器のうちの１つの近傍に導電用ワイヤを位置付けることを含む、請求項１５に記載の装置。
【請求項２０】
前記組合せのトルクは実質的に変更されないままである、請求項１５に記載の装置。
【発明の詳細な説明】
【技術分野】
【０００１】
発明の詳細な説明
関連出願
本願は、２０１２年１１月２３日に出願された「モータの高調波整形」（Harmonic Shaping of a Motor）と題された米国仮特許出願第６１／７２９，５３７号の利益および優先権を主張する。
【背景技術】
【０００２】
背景
ハードディスク記憶装置で使用されるような磁気記録媒体では、情報は、デジタルビットを表わす磁気素子に書込まれ、それらから読出される。所与の区域内に格納可能な情報の量を増やすために、これらの磁気素子のサイズおよび間隔を、それらをより密に詰め込むために小さくしてもよい。同時に、所与の区域で使用されるディスクの数を増やしてもよい。ハードドライブの音響性能は、ハードドライブ性能における一要因である。音響性能は、たとえば、全体的な音響パワーおよび音響純音の影響を受ける場合がある。
【０００３】
音響純音は、音響性能を調節するために修正されてもよい。たとえば、モータによって生成された全体的な力を減少させ、次に純音を駆動するエネルギを減少させてもよい。全体的な力を減少させることは、ディスクを回転させるトルクの量を減少させることによって回転可能なディスクの数を減少させる。
【発明の概要】
【課題を解決するための手段】
【０００４】
概要
装置は、磁石と磁化器とを含む。磁化器は、磁石に対して回転するよう動作可能である。回転は、特定の周波数で音響純音を生成する。磁石と磁化器との組合せは磁気プロファイルを有する。この組合せは、特定の周波数での音響純音を減少させるために、特定の高調波形状を磁気プロファイルに重畳するよう変更される。
【０００５】
図面の簡単な説明
添付図面の図において、この発明を限定のためではなく例示のために説明する。図中、同じ参照符号は同様の要素を示す。
【図面の簡単な説明】
【０００６】
【図１Ａ】本実施例の一局面に従った磁極遷移を示す図である。
【図１Ｂ】本実施例の一局面に従った磁極遷移を示す図である。
【図２】本実施例の一局面に従ったモータの磁化プロファイルを示す図である。
【図３】本実施例の一局面に従った、磁石高調波とステータ高調波とを用いた対象高調波の識別を示す図である。
【図４Ａ】本実施例の一局面に従った、高調波を整形する前の例示的な磁化プロファイルを示す図である。
【図４Ｂ】本実施例の一局面に従った、高調波を整形した後の例示的な磁化プロファイルを示す図である。
【図５】本実施例の一局面に従ったモータの磁化プロファイルの設計を示す図である。
【図６】本実施例の一局面に従った例示的なフロー図を示す図である。
【図７】本実施例の一局面に従った、ある周波数で音響純音が減少するハードドライブの例示的な図である。
【発明を実施するための形態】
【０００７】
詳細な説明
添付図面に例が図示された実施例をこれから詳細に参照する。実施例を図面とともに説明するが、図面は実施例を限定するよう意図されてはいないということが理解されるべきである。それどころか、実施例は、代替例、変更例、および均等物を網羅するよう意図されている。また、以下の詳細な説明では、完全な理解を提供するために多くの特定の詳細が述べられる。しかしながら、これらの特定の詳細がなくても実施例が実践され得るということは、当業者には認識されるであろう。他の点では、実施例の局面を不必要に不明瞭にしないよう、周知の方法、手順、構成要素、および回路については詳細には説明されていない。
【０００８】
一般に、ハードドライブを設計する際に考慮すべき要因のうちの１つは、ハードドライブの音響性能である。音響性能は、全体的な音響パワーおよび音響純音を含み得る。音響純音は、システムにおける全体的な音のレベルの上方にある周波数帯域として説明され得る。
【０００９】
スピンドルモータは、機械的駆動構造の自然共振周波数として現われる音響純音を駆動するためにエネルギを提供し得る。音響純音が結果として生じる場合があり、磁極の数とスピンドルモータの高調波次数とに基づく場合がある、ということが理解される。モータの全体的な力を減少させることは、音響純音を減少させる場合がある。しかしながら、モータの全体的な力を減少させることは、回転可能なディスクの数も減少させる。なぜなら、それはシステムにおけるトルクを減少させるためである。
【００１０】
スピンドルモータの機械的エネルギ源は通常、電磁駆動されており、さらにモータ磁気構成要素の高調波に基づいている。電磁周波数が駆動構造の共振周波数に近づくと、音響純音が生成され得る。音響純音はスピンドルモータによって生成される場合があり、磁極の数とスピンドルモータのステータ高調波次数とに基づく場合があるということが理解される。したがって、音響純音は、モータの高調波を整形することによって影響を受ける場合がある。たとえば、システムの音響純音は、一例として、モータの全体的な力を実質的に以前と同様に保ちつつ、磁石の高調波を整形することによって減少され得る。したがって、磁石の高調波を整形することは、トルクの量に対して、ひいては使用可能なディスクの数に対してあまり影響を与えない。いくつかの実施例では、高調波は、モータの地鉄を調和的に設計することによって整形されてもよい。
【００１１】
正弦波の磁化プロファイル波形を有するモータ磁石を設計することは、不必要な力の高調波を減少させ得る、ということが理解される。しかしながら、共振周波数の中には、音響純音に寄与する正弦波形によって駆動され得るものがある。そのため、対象となる周波数での１つ以上の音響純音を減衰するよう、モータ、たとえば磁石および／または磁化器コアの磁化プロファイルを設計することによって、追加の高調波が導入されてもよい。
【００１２】
ここで図１Ａを参照すると、一実施例に従った磁気回路が図示されている。図１Ａでは、磁極１０２は２つのステータトゥース１０４間で遷移しており、磁気回路は主としてステータステム（コイル）およびヨークを通っている。磁石１０６が回転するにつれて、２つの磁極間の遷移が２つのステータトゥース１０４間に整列する。したがって、磁束は、破線１０８によって示されるように、ステムおよびコイルを通って進む。この経路を通る磁束をドライバが制御してもよい。
【００１３】
ここで図１Ｂを参照すると、一実施例に従った磁気回路が図示されている。磁極１０２がトゥース１０４の中心で遷移する場合、磁気回路は主として、破線１１０で示すようにトゥース１０４を通っている。しかしながら、図１Ａと比べると、この遷移はコイルを通って進んでおらず、したがってドライバによって制御できない。この実施例では、磁気プロファイルを変更するために特定の高調波を重畳してもよく、それにより磁束を制御し、ある周波数での音響純音を減少させる。
【００１４】
ここで図２を参照すると、一実施例に従ったモータの磁化プロファイルの図が示されている。モータ磁石２１０がその磁化器コア（ヨーク）２２０とともに図示されている。モータ磁石２１０は、たとえば図示されているような正弦波のある磁気プロファイルを有するよう、コア２２０と組合されてまたは別々に設計されてもよい、ということが理解される。いくつかの実施例では、磁化プロファイルは、磁石の磁化可能性の変化を測定することにより、直接測定されてもよい。その結果、磁場、ひいてはそのプロファイルが識別されてもよい。
【００１５】
一実施例によれば、磁化プロファイルを設計する前に、１つ以上の音響純音が測定され、または予測される。以下、磁化プロファイルへの言及は、モータ磁石２１０、磁化器コア（ヨーク）２２０、またはそれらの組合せの磁気特性への言及である。
【００１６】
１つ以上の音響純音を識別することは、音響性能を調節するためにさらなる修正がなされ得る周波数を識別し得る。たとえば、音響性能は、新しい磁気プロファイルを整形し生成するために、たとえば高調波を磁気プロファイルに重畳することによって磁気プロファイルが変更されるように、モータ磁石２１０および／または磁化器コア２２０の設計を変更することによって調節されてもよい。
【００１７】
性能劣化に寄与する音響純音の１つ以上の周波数に関連する高調波が識別されてもよい。したがって、識別された高調波が、たとえば他の高調波をそれらに重畳することによって調節されると、性能が向上し、識別された周波数での音響純音の存在が減少する場合がある。
【００１８】
ここで図３を参照すると、この発明の一実施例に従った、磁石高調波とステータ高調波とを用いた対象高調波の識別が示されている。この例では、性能劣化に最も寄与する音響純音の周波数が識別される。性能劣化に最も寄与する音響純音の周波数を識別することは単なる例示であり、ここに説明される実施例の範囲を限定するよう意図されてはいない。たとえば、性能劣化に各々寄与する音響純音の複数の周波数が識別されてもよく、それらのそれぞれの高調波も識別されてもよい。したがって、性能を向上させるために、識別された高調波の各々が調節されてもよい。
【００１９】
この例示的な実施例では、性能劣化に最も寄与する音響純音の周波数が識別される。対象高調波は、性能劣化に最も寄与する音響純音の周波数を用いることによって識別されてもよい。この例では、性能劣化に最も寄与する音響純音の周波数は第５高調波であると判断される。
【００２０】
図３に示すように、磁石の第４高調波とステータの第１高調波とは、第５高調波をもたらす。同様に、磁石の第３高調波とステータの第２高調波とは、第５高調波をもたらす。磁石の第２高調波とステータの第３高調波とは、第５高調波をもたらす。そして最後に、磁石の第１高調波とステータの第４高調波とは、第５高調波をもたらす。
【００２１】
言い換えれば、性能劣化に寄与する音響純音の周波数に関連する第５高調波をもたらすモータ磁石、およびステータ、および／または磁化器コアの特定の高調波が識別可能である。特定の高調波が一旦識別されると、モータ磁石および／または磁化器コア（ヨーク）は、特定の高調波をその既にある磁気プロファイルに重畳することによって、識別された周波数で特定の磁気プロファイル形状を有するよう設計されてもよい。したがって、性能を向上させるために、識別された周波数での少なくとも１つ以上の音響純音が減少され得る。
【００２２】
ここで図４Ａを参照すると、モータの磁気プロファイルについての例示的な正弦波形が示されている。図４Ｂは、高調波が識別され特定の高調波形状が導入されて、所望の磁気プロファイルを作り出し、それによりある周波数での音響純音を減少させた後の、一実施例に従ったモータの磁化プロファイルを示す。
【００２３】
高調波を元の磁気プロファイルに導入することによって所与の磁気プロファイルを有するよう、モータ磁石、ステータ、および／または磁化器コアを設計することは、ある周波数、たとえば１０８０Ｈｚでの音響純音の影響を減少させ得る、ということが理解される。また、特定の高調波を既存の磁気プロファイルに重畳することは、モータ磁石、ステータ、および磁化器コアに限定されておらず、ある周波数での音響純音を減少させ、それにより性能を向上させるために、磁気プロファイルを有する任意の磁気構成要素に適用可能である、ということが理解される。そのため、モータ磁石および／または磁化器コアの磁気プロファイルを変更するために特定の高調波を重畳することに関して説明される実施例は、例示的なものであり、ここに説明される実施例の範囲を限定するよう意図されてはいない。
【００２４】
性能を向上させるために、識別された周波数での音響純音を減少させるため、特定の高調波を磁気構成要素の既存の磁気プロファイルに識別された周波数で重畳することを、図５に関して説明する。図５には、一実施例に従った、モータの磁化プロファイルを設計する例示的な実施例が示されている。磁石は、図示されるように、モータ磁気部５１０と、磁化器コア（ヨーク）部５２０とを含んでいてもよい。モータ磁石、ステータ、および／または磁化器コアの磁気プロファイルを設計することに関して説明される実施例は、例示的なものであり、実施例の範囲を限定するよう意図されてはいない、ということが理解される。たとえば、ここに説明される実施例は、任意の磁気構成要素に、その磁気プロファイルを変更するために適用されてもよい。
【００２５】
一実施例によれば、モータ磁石部５１０の磁気プロファイルは、その厚さを変えることによって調節されてもよい。厚さは均一にまたは不均一に変えられてもよいということが理解される。磁石部５１０の厚さを変更することは実際に、ある周波数で特定の高調波を重畳する場合があり、磁石部５１０の磁気プロファイルが要望通り変更されるようにし、それにより、識別された周波数での音響純音の量を減少させる。また、モータ磁石部５１０の磁気プロファイルはその形状を変更することによって変更されてもよく、たとえばそれは形状が矩形、円形、台形、円筒形などであってもよく、および／または、それは切込み、トゥース、突起、貫入部、溝などを含んでいてもよい、ということが理解される。
【００２６】
一実施例によれば、モータ磁気部５１０を形成する材料を変更することは、モータ磁気部５１０の磁気プロファイルを変更し得る。言い換えれば、モータ磁気部５１０に関連する１つ以上の性質を変更することは、モータ磁気部５１０の磁気プロファイルを変更し得る。例示的な一実施例では、モータ磁気部５１０の磁束密度を変更することは、モータ磁気部５１０の性質特性を変更し得る。磁束密度は、要望通り均一であっても不均一であってもよい、ということが理解される。そのため、モータ磁気部５１０の１つ以上の特性を変更することは、識別された周波数での音響純音を減少させ、それにより性能を向上させるために、識別された周波数で特定の高調波を重畳し得る。
【００２７】
一実施例では、磁気プロファイルは、磁化器コア（ヨーク）５２０の近傍の１つ以上の場所にワイヤを位置付けることによって変更されてもよい。たとえば、ワイヤ５４０が、図示されるように磁化器コア５２０の周りに巻付いていてもよい。例示的な一実施例では、ワイヤ巻線は電流を通し、したがって電圧／電流を変更し、その結果磁場を変更する。そのため、磁気プロファイルの高調波形状が変更され得る。ワイヤはどこか別の場所に、たとえばワイヤ５３０によって示すように巻付いていない位置に位置付けられてもよいということが理解される。ワイヤ５３０の位置は対称的であっても非対称的であってもよいということが理解される。ワイヤ５３０および／または５４０の直径は異なっていても同じであってもよいということが理解される。そのため、ワイヤ５３０はさまざまな量の電流を通してもよく、それにより磁気プロファイルを変更する。
【００２８】
さらに、磁化器コア５２０の特性は、磁化器コア５２０の磁束密度を変更することによって、および／または、その形状、サイズおよび／または厚さを変更することによってさらに変更され得る、ということが理解される。磁化器コア（ヨーク）５２０は矩形、円形、台形、円筒形であってもよく、切込み、トゥース、突起、貫入部、溝などを含んでいてもよい。モータの磁気プロファイルを変更するために、磁石設計は、上述の変更の１つ以上をモータ磁石５１０および／または磁化器コア（ヨーク）５２０に組合せてもよい、ということが理解される。
【００２９】
磁気構成要素の磁気プロファイルを変更するために特定の高調波を重畳することによって、特定の周波数での音響純音を減少させることに関してここに説明される実施例は、例示的なものであり、実施例の範囲を制限するよう意図されてはいない、ということが理解される。たとえば、複数の周波数で複数の純音を発見するために、および識別された複数の周波数で複数の高調波を重畳するために、同様のアプローチが採用されてもよい。
【００３０】
さまざまな実施例は、モータ磁石、ステータ磁石、磁石および／または磁化器コア（ヨーク）の特性および設計を変えることによって磁気プロファイルを変更することを説明しているが、他の設計変更が採用されてもよい、ということが理解される。たとえば、地鉄も、単独で、またはモータ磁石、ステータ磁石、および／または磁化器コア（ヨーク）に対して行なわれる変更とともに、変更されてもよい。たとえば、地鉄の厚さが変更されてもよい。厚さは均一であっても不均一であってもよいということが理解される。一実施例では、地鉄の形状が変更されてもよく、たとえば地鉄に切込みが形成されてもよい。地鉄は任意の形状、たとえば矩形、円筒形、台形、円形などを有していてもよい。
【００３１】
ここで図６を参照すると、一実施例に従ったフロー図６００が示されている。ステップ６１０で、特定の音響純音に関連する特定の周波数が識別される。一実施例によれば、識別された周波数は、ハードドライブ性能の劣化に最も寄与する音響純音に関連する周波数であるが、それに限定されない。対象周波数が一旦識別されると、ステップ６２０で、特定の高調波を既存の磁気プロファイルに重畳するために、ハードドライブのモータ磁石、ステータ磁石、および／または磁化器コアの特性が変更されてもよい。ここに説明される実施例は、モータ磁石５１０および磁化器コア５２０に限定されておらず、互いに対して回転する任意の２つの磁気構成要素に適用可能である、ということが理解される。特定の高調波を重畳することは、識別された周波数での音響純音を減少させるよう設計されてもよい。
【００３２】
一実施例によれば、モータ磁石５１０および／または磁化器コア５２０の特性は、材料、それらの密度、それらのサイズ、それらの厚さ、それらの形状などを変更することを含む。また、モータ磁石および／または磁化器コアの特性は、モータ磁石および／または磁化器コアまたはそれらの任意の組合せに近接して１つまたは複数のワイヤを位置付けることによって変更されてもよい。また、特性は、ワイヤを通る電流の量を変更することによって変更されてもよい。たとえば、ワイヤの直径が変更されてもよい。
【００３３】
一実施例では、モータ磁石５１０および／または磁化器コア５２０に関連するトルクは、特性の変更の前後で実質的に変更されないままである、ということが理解される。そのため、ここに説明される実施例は、変更前と実質的に同じ数のディスクを回転させるのに十分なトルクを維持しつつ、音響純音を減少させる。
【００３４】
ここで図７を参照すると、図１〜６で説明されたような実施例が実現され得るデータ記憶装置の平面図が示されている。ディスクドライブ７００は通常、ベースプレート７０２と、ベースプレート７０２上に配置可能で、さまざまなディスクドライブ構成要素用の密封されたハウジングを規定するカバー７０４とを含む。ディスクドライブ７００は、コンピュータ読取可能データ記憶媒体の１つ以上のデータ記憶ディスク７０６を含む。通常、各データ記憶ディスク７０６の両方の主面は、データを記憶するための同心円状に配置された複数のトラックを含む。各データ記憶ディスク７０６はハブ７０８上に搭載されており、それは次に、ベースプレート７０２および／またはカバー７０４と回転可能に相互接続されている。複数のデータ記憶ディスク７０６は通常、ハブ７０８上に、垂直に間隔を空けて平行な関係で搭載されている。スピンドルモータ７１０は、データ記憶ディスク７０６を回転させる。
【００３５】
ディスクドライブ７００は、ピボット軸受７１４を中心に枢動するアクチュエータアームアセンブリ７１２も含み、ピボット軸受７１４は次に、ベースプレート７０２および／またはカバー７０４によって回転可能に支持されている。アクチュエータアームアセンブリ７１２は、ピボット軸受７１４の近傍から外に延在する１つ以上の個々の硬質のアクチュエータアーム７１６を含む。複数のアクチュエータアーム７１６は通常、ディスクドライブ７００の各データ記憶ディスク７０６のデータ記憶主面毎に１つのアクチュエータアーム７１６が設けられる状態で、垂直に間隔を空けた関係で配置されている。他のタイプのアクチュエータアームアセンブリ構成も同様に利用可能であり、一例は、共通の構造から張出した１つ以上の硬質のアクチュエータアーム先端などを有する「Ｅ」ブロックである。アクチュエータアームアセンブリ７１２の運動は、ボイスコイルモータ７１８などのアクチュエータアーム駆動アセンブリによって提供される。ボイスコイルモータ７１８は、制御電子機器７２０の指示を受けてアクチュエータアームアセンブリ７１２の動作を制御する磁気アセンブリである。
【００３６】
制御電子機器７２０は、プリント回路基板７２４に結合された複数の集積回路７２２を含んでいてもよい。制御電子機器７２０は、ピン、ケーブル、またはワイヤ（図示せず）を含み得る配線を用いて、ボイスコイルモータアセンブリ７１８、スライダ７２６、またはスピンドルモータ７１０に結合されてもよい。
【００３７】
負荷ビームまたはサスペンション７２８が、各アクチュエータアーム７１６の自由端に取付けられ、そこから張出している。通常、サスペンション７２８は、ばね状の力により、概してその対応するデータ記憶ディスク７０６の方へ付勢されている。スライダ７２６は、各サスペンション７２８の自由端またはその近傍に配置されている。一般に読み書きヘッド（たとえばトランスデューサ）と呼ばれるものが、スライダ７２６の下にヘッド部（図示せず）として適切に搭載され、ディスクドライブ読み書き動作で使用される。スライダ７２６の下のヘッド部は、異方性磁気抵抗（anisotropic magnetoresistive：ＡＭＲ）技術、巨大磁気抵抗（giant magnetoresistive：ＧＭＲ）技術、トンネリング磁気抵抗（tunneling magnetoresistive：ＴｕＭＲ）技術、他の磁気抵抗技術、または他の好適な技術といったさまざまなタイプの読取センサ技術を利用していてもよい。
【００３８】
スライダ７２６の下のヘッド部はプリアンプ７３０に接続されており、それは、通常アクチュエータアームアセンブリ７１２上に搭載されているフレックスケーブル７３２によって、ディスクドライブ７００の制御電子機器７２０と相互接続されている。ディスクドライブ読み書き動作のために、ヘッド部とその対応するデータ記憶ディスク７０６との間で信号が交換される。その際、ボイスコイルモータ７１８を用いてアクチュエータアームアセンブリ７１２を枢動し、同時にスライダ７２６を、経路７３４に沿うよう、かつ対応するデータ記憶ディスク７０６を横断するよう動かして、ディスクドライブ読み書き動作のためにヘッド部をデータ記憶ディスク７０６上の適切な位置に位置付ける。
【００３９】
ディスクドライブ７００が動作していない場合、アクチュエータアームアセンブリ７１２は「駐車位置」へと枢動されて、各スライダ７２６を概してその対応するデータ記憶ディスク７０６の周囲にまたは周囲を越えるように配置するが、いずれの場合も、その対応するデータ記憶ディスク７０６に対して垂直に間隔を空けた関係にある。その際、ディスクドライブ７００は、データ記憶ディスク７０６の周囲を越えて配置されて、対応するスライダ７２６をその対応するデータ記憶ディスク７０６から垂直に離れるよう動かし、かつアクチュエータアームアセンブリ７１２に保持力のようなものをかけるランプアセンブリ（図示せず）を含む。
【００４０】
ディスクドライブ７００の側端に沿った駆動コネクタ７３８の露出した接点７３６は、ディスクドライブ７００の回路と、インターポーザ、回路基板、ケーブルコネクタ、または電子アセンブリなどの次のレベルの統合との接続性を提供するために使用されてもよい。駆動コネクタ７３８は、ユーザ固有の特徴または構成用にディスクドライブ７００を構成するために使用され得るジャンパー（図示せず）またはスイッチ（図示せず）を含んでいてもよい。ジャンパーまたはスイッチは、駆動コネクタ７３８内から引っ込んでいても露出していてもよい。
【００４１】
説明のために、前述の説明が特定の実施例を参照して説明されてきた。しかしながら、上述の例示的な説明は包括的であるよう、またはこの発明を開示されたそのままの形態に限定するよう意図されてはいない。上述の教示に鑑みて、多くの修正および変更が可能である。上述の実現化例および他の実現化例は、特許請求の範囲内にある。
【符号の説明】
【００４２】
２１０、５１０：モータ磁石、２２０、５２０：磁化器コア。
【図１Ａ】
2014107005.tif 000003
【図１Ｂ】
2014107005.tif 000004
【図２】
2014107005.tif 000005
【図３】
2014107005.tif 000006
【図４Ａ】
2014107005.tif 000007
【図４Ｂ】
2014107005.tif 000008
【図５】
2014107005.tif 000009
【図６】
2014107005.tif 000010
【図７】
2014107005.tif 000011
【外国語明細書】
2014107005000001.pdf